(57)【要約】【課題】  原稿の画像を読み取り、その原稿が印刷に適さない種類の用紙であれば当該原稿に画像が印刷されてしまうことを防ぐ仕組みを提供する。【解決手段】  原稿を搬送する搬送手段と、前記搬送手段によって前記原稿を読み取る読取手段と、前記原稿の用紙の種類を検知する検知手段と、前記検知手段によって検知された用紙の種類が印刷に適している場合に、前記搬送手段によって搬送される前記原稿に画像を印刷し、前記検知手段によって検知された用紙の種類が印刷に適していない場合に、前記搬送手段によって搬送される前記原稿に画像を印刷しない印刷手段とを有することを特徴とする。【選択図】  図１０
2013236178.tif 000002
【特許請求の範囲】
【請求項１】
原稿を搬送する搬送手段と、
前記搬送手段によって前記原稿を読み取る読取手段と、
前記原稿の用紙の種類を検知する検知手段と、
前記検知手段によって検知された用紙の種類が印刷に適している場合に、前記搬送手段によって搬送される前記原稿に画像を印刷し、前記検知手段によって検知された用紙の種類が印刷に適していない場合に、前記搬送手段によって搬送される前記原稿に画像を印刷しない印刷手段とを有することを特徴とする画像形成装置。
【請求項２】
前記検知手段によって検知された用紙の種類が印刷に適していない場合に、前記印刷手段は、前記搬送手段によって搬送される前記原稿に前記画像を印刷せずに、前記搬送手段は、前記原稿を搬送し、当該原稿を排紙部に排紙することを特徴とする請求項１に記載の画像形成装置。
【請求項３】
前記印刷手段は、前記検知手段によって検知された用紙の種類が印刷に適していない場合に、前記搬送手段によって搬送される前記原稿に前記画像を印刷せずに、給紙手段から記録材を給紙し、給紙された前記記録材に前記画像を印刷することを特徴とする請求項１または２に記載の画像形成装置。
【請求項４】
前記印刷手段は、前記検知手段によって検知された用紙の種類が印刷に適していない場合に、前記搬送手段によって搬送される前記原稿に前記画像を印刷せずに、給紙手段から記録材を給紙し、給紙された前記記録材に前記画像を印刷するか否かの選択をユーザから受け付ける受付手段をさらに有し、
前記検知手段によって検知された用紙の種類が印刷に適しておらず、前記受付手段によって前記搬送手段によって搬送される前記原稿に前記画像を印刷せずに、給紙手段から記録材を給紙し、給紙された前記記録材に前記画像を印刷するための選択を前記ユーザから受け付けた場合に、前記印刷手段は、前記搬送手段によって搬送される前記原稿に前記画像を印刷せずに、給紙手段から記録材を給紙し、給紙された前記記録材に前記画像を印刷することを特徴とする請求項３に記載の画像形成装置。
【請求項５】
用紙の種類が印刷に適しているか否かを示す情報を記憶する記憶手段をさらに有し、
前記印刷手段は、前記記憶手段に記憶された情報に従って、前記検知手段によって検知された用紙の種類が印刷に適している場合に、前記搬送手段によって搬送される前記原稿に画像を印刷し、前記検知手段によって検知された用紙の種類が印刷に適していない場合に、前記搬送手段によって搬送される前記原稿に画像を印刷しないことを特徴とする請求項１乃至４のいずれか１項に記載の画像形成装置。
【請求項６】
前記印刷に適していない用紙の種類は、感熱紙であることを特徴とする請求項１乃至５のいずれか１項に記載の画像形成装置。
【請求項７】
前記搬送手段によって原稿が搬送される搬送路と、記録材の両面印刷を行うための搬送路が共通していることを特徴とする請求項１乃至６のいずれか１項に記載の画像形成装置。
【請求項８】
前記読取手段は、回転可能であり、前記原稿の第１面を読み取るための向きと、前記原稿の第２面を読み取るための向きとを回転することによって切り替えることを特徴とする請求項１乃至７のいずれか１項に記載の画像形成装置。
【請求項９】
前記印刷手段は、前記検知手段によって検知された用紙の種類が印刷に適している場合に、前記搬送手段によって搬送される原稿を前記読取手段によって読み取った後に、当該原稿に画像を印刷することを特徴とする請求項１乃至８のいずれか１項に記載の画像形成装置。
【請求項１０】
前記検知手段は、メディアセンサによって原稿の用紙の種類を検知することを特徴とする請求項１乃至９のいずれか１項に記載の画像形成装置。
【請求項１１】
原稿を搬送する搬送工程と、
前記搬送工程で前記原稿の画像を読み取る読取工程と、
前記原稿の用紙の種類を検知する検知工程と、
前記検知工程で検知された用紙の種類が印刷に適している場合に、前記搬送工程で搬送される前記原稿に画像を印刷し、前記検知工程で検知された用紙の種類が印刷に適していない場合に、前記搬送工程で搬送される前記原稿に画像を印刷しない印刷工程とを有することを特徴とする画像形成装置の制御方法。
【請求項１２】
請求項１１に記載の画像形成装置の制御方法を、コンピュータに実行させるためのプログラム。
【発明の詳細な説明】
【技術分野】
【０００１】
本発明は、画像形成装置、画像形成装置の制御方法、及びプログラムに関するものである。
【背景技術】
【０００２】
従来、原稿を搬送し、搬送される原稿の画像を読み取る画像読取部と、画像を記録紙に印刷する印刷部とを有する画像形成装置がある。
また、原稿を搬送するための搬送路と記録紙を搬送するための搬送路の一部を共通にすることによって、装置を小型化した画像形成装置がある。（特許文献１参照）
【先行技術文献】
【特許文献】
【０００３】
【特許文献１】特開２０００−１８５８８１号公報
【発明の概要】
【発明が解決しようとする課題】
【０００４】
原稿の画像を読み取って、その原稿に画像を印刷しようとすると、原稿が印刷に適さない用紙であっても、原稿に画像が印刷されてしまう。例えば、原稿が感熱紙のように熱によって変色してしまう種類の用紙である場合、原稿の画像の読み取りを正常に行うことはできるが、原稿に画像が印刷を印刷しようとすると、原稿が印刷時の熱によって黒く変色し、原稿の内容が失われてしまう。
そこで、本発明は、原稿の画像を読み取り、その原稿が印刷に適さない種類の用紙であれば当該原稿に画像が印刷されてしまうことを防ぐ仕組みを提供することを目的とする。
【課題を解決するための手段】
【０００５】
原稿を搬送する搬送手段と、前記搬送手段によって前記原稿の画像を読み取る読取手段と、前記原稿の用紙の種類を検知する検知手段と、前記検知手段によって検知された用紙の種類が印刷に適している場合に、前記搬送手段によって搬送される前記原稿に画像を印刷し、前記検知手段によって検知された用紙の種類が印刷に適していない場合に、前記搬送手段によって搬送される前記原稿に画像を印刷しない印刷手段とを有することを特徴とする画像形成装置。
【発明の効果】
【０００６】
本発明によれば、原稿の画像を読み取り、その原稿が印刷に適さない種類の用紙であれば当該原稿に画像が印刷されてしまうことを防ぐことができる。
【図面の簡単な説明】
【０００７】
【図１】本発明に係る画像形成装置の断面図を示す図である。
【図２】本発明に係る画像形成装置における両面印刷処理を説明するための図である。
【図３】本発明に係る画像形成装置における原稿の第１面の読取処理を説明するための図である。
【図４】本発明に係る画像形成装置における原稿の第１面の読取処理の終了時を説明するための図である。
【図５】本発明に係る画像形成装置における原稿の第２面の読取処理を説明するための図である。
【図６】本発明に係る画像形成装置における原稿の第２面の読取処理の終了時を説明するための図である。
【図７】本発明に係る画像形成装置における原稿の第１面の画像情報に基づく画像形成を説明するための図である。
【図８】本発明に係る画像形成装置における画像形成装置の電装を示すブロック図である。
【図９】本発明に係る画像形成装置における画像読取部の詳細を説明する図である。
【図１０】本発明に係る画像形成装置における画像形成装置で実行される処理のフローチャートである。
【図１１】本実施形態に係る画像形成装置の操作部に表示される画面の一例を示す図である。
【図１２】本発明に係る画像形成装置における画像形成装置で実行される処理のフローチャートである。
【図１３】本実施形態に係る画像形成装置の操作部に表示される画面の一例を示す図である。
【図１４】本実施形態に係る画像形成装置の操作部の一例を示す図である。
【図１５】本実施形態に係る画像形成装置における画像情報に基づく画像を原稿に印刷する処理を説明するための図である。
【図１６】本実施形態に係る画像形成装置における画像情報に基づく画像を原稿に印刷する処理を説明するための図である。
【発明を実施するための形態】
【０００８】
以下、本発明を実施するための形態について図面を用いて説明する。
【０００９】
＜第１の実施形態＞
第１の実施形態では、本発明を適用した画像形成装置を紹介する。先ず、画像形成プロセスについて説明する。
【００１０】
図１は、本発明に係る印刷装置の一例である画像形成装置１の断面図を示す図である。
【００１１】
画像形成装置１内には、感光ドラム１０と現像ローラ１１が配置されている。感光ドラム１０は、回転可能な像担持体である。現像ローラ１１は感光ドラム１０と並接し、トナーを保持しながら回転する。光学ユニット２が印刷信号を受信すると、発光部２１は、回転する感光ドラム１０の表面にレーザ光を照射する。レーザ光を照射された感光ドラム１０の表面には、電荷による潜像画像が形成される。現像ローラ１１が回転しながら、感光ドラム１０の表面に形成された潜像画像にトナーを供給すると、感光ドラム１０の表面にはトナー画像が形成される。
【００１２】
第１給紙部３０は、用紙などの記録材（シートまたは記録紙ともいう。）を収納する。第１給紙部３０に収納されていた記録材Ｓは、ＣＳＴピックアップローラ３１と分離手段３２によって一枚ずつ搬送ローラ４０に搬送される。図１において、太い線の矢印は記録材Ｓを示す。搬送ローラ４０は感光ドラム１０の表面上にあるトナー画像と記録材Ｓの先端とが合うようにタイミングを調整して、記録材Ｓを転写部１５へ搬送する。
【００１３】
トナー画像は感光ドラム１０の回転によって搬送され、転写部１５に付与される印加バイアスと圧力とによって記録材Ｓに転写される。転写部１５は記録材Ｓを定着部５０に搬送する。定着部５０では、回転可能な加熱ローラ５１と回転可能な加圧ローラ５２とが対向していて、加熱ローラ５１からの熱と加圧ローラ５２による圧力とがトナー画像を記録材Ｓに定着させる。トナー画像が定着された記録材Ｓは排紙ローラ６０に搬送される。片面印刷の場合には、排紙ローラ６０は記録材Ｓを機外へ搬送し、記録材Ｓは第１排紙部７０に積載される。
【００１４】
図２は、両面印刷のプロセスを説明するための図である。記録材Ｓの後端が両面フラッパ６１を通過した後、両面フラッパ６１は搬送路を切り替える。その後、排紙ローラ６０は逆回転をし始め、記録材Ｓを両面搬送路８０へ搬送する。記録材Ｓは搬送ローラ４１によって画像読取部１００に搬送される。その後、記録材Ｓは搬送ローラ４２及び搬送ローラ４０によって再び転写部１５に搬送される。記録材Ｓに対してトナー画像の転写及び定着が行われた後、両面印刷が施された記録材Ｓは第１排紙部７０に積載される。
【００１５】
次に図３〜図７を用いて、両面原稿の画像を記録材の両面に印刷する両面コピーの動作について説明する。
【００１６】
図３は原稿の第１面の読み取りを説明するための図である。図３において、太い線の矢印は原稿Ｇを示す。第２給紙部９０に収納されていた原稿Ｇは、ＣＩＳピックアップローラ９１と分離手段９２によって一枚ずつ搬送ローラ４１に搬送される。搬送ローラ４１の手前に、用紙の種類を検知するメディアセンサ１１０１が設けられており、メディアセンサ１１０１は、搬送される用紙の種類を検知する。なお、メディアセンサによって用紙の種類を検知する技術は既知のものを用いればよい。画像読取部１００は、原稿Ｇの第１面の読み取りを開始する前に、白基準部材１０１へ発光し、白基準値の修正を実施する。その後、画像読取部１００は両面搬送路８０に対面する位置に回転する。搬送ローラ４１は原稿Ｇを画像読取部１００に搬送する。両面搬送路８０に対面する位置に待機していた画像読取部１００は原稿Ｇの第１面を読み取り、読み取られた画像情報は原稿Ｇの第１面の画像情報として画像メモリに記憶される。白基準部材１０１は下向きに配置されていて、ごみ付着に対する配慮がなされている。
【００１７】
図４は原稿の第１面の読み取りの終了時を説明するための図である。画像読取部１００を通過した原稿Ｇは搬送ローラ４２に搬送される。搬送ローラ４２は、原稿Ｇの後端がスイッチバックフラッパ８２を通過した時点で停止する。このとき、原稿Ｇは搬送ローラ４２に挟持された状態で停止している。所定時間の経過後、搬送ローラ４２は原稿Ｇを原稿搬送路８１に搬送する。この所定時間のあいだに、スイッチバックフラッパ８２は搬送路を両面搬送路８０から原稿搬送路８１に切り替える。
【００１８】
図５は、原稿の第２面の読み取りを説明するための図である。スイッチバックフラッパ８２が原稿Ｇの搬送路を両面搬送路８０から原稿搬送路８１に切り替えると同時に、画像読取部１００は原稿搬送路８１に対面する位置に回転する。搬送ローラ４２は逆回転をし始め、原稿搬送路８１を介して原稿Ｇを画像読取部１００に搬送する。原稿Ｇが画像読取部１００を通過するときに、画像読取部１００は原稿Ｇの第２面を読み取り、読み取られた画像情報は原稿Ｇの第２面の画像情報として画像メモリに記憶される。なお、片面読取が指定されている場合、第２面の画像情報の読取は行われない。
【００１９】
一方、第１給紙部３０に収納されていた記録材Ｓは一枚ずつ搬送ローラ４０に搬送される。ほぼ同時に、発光部２１は、画像メモリに記憶された原稿Ｇの第２面の画像情報に基づいてレーザ光を感光ドラム１０の表面に照射し、原稿Ｇの第２面の画像情報に基づく潜像画像が感光ドラム１０の表面に形成される。転写部１５は、潜像画像により形成されたトナー画像を記録材Ｓに転写し、定着部５０はトナー画像を記録材Ｓに定着して、原稿Ｇの第２面の画像情報に基づく画像形成が完了する。図５では、原稿の第２面の読み取りの開始とともに記録材Ｓの搬送が開始されているが、原稿の第２面の読み取りの後に記録材Ｓの搬送が開始されてもよい。
【００２０】
図６は原稿の第２面の読み取りの終了時を説明するための図である。原稿Ｇは搬送ローラ４３及び搬送ローラ４４によって機外へ搬送され、第２排紙部１１０に積載される。原稿Ｇの後端がスイッチバックフラッパ８２を通過すると、スイッチバックフラッパ８２は、記録材Ｓが搬送ローラ４０に搬送されるように、搬送路を原稿搬送路８１から両面搬送路８０へ切り替える。
【００２１】
図７は原稿の第１面の画像情報に基づく画像形成を説明するための図である。記録材Ｓの後端が両面フラッパ６１を通過した後、両面フラッパ６１は搬送路を切り替える。その後、排紙ローラ６０は逆回転をし始め、記録材Ｓを両面搬送路８０へ搬送する。両面搬送路８０に搬送された記録材Ｓは画像読取部１００を通過し、搬送ローラ４２によって搬送ローラ４０に搬送され、搬送ローラ４０によって転写部１５に搬送される。図７において、破線の矢印はその様子を示している。発光部２１は、画像メモリに記憶された原稿Ｇの第１面の画像情報に基づいてレーザ光を感光ドラム１０の表面に照射し、原稿Ｇの第１面の画像情報に基づく潜像画像が感光ドラム１０の表面に形成される。転写部１５は、潜像画像により形成されたトナー画像を記録材Ｓに転写し、定着部５０はトナー画像を記録材Ｓに定着して、原稿Ｇの第１面の画像情報に基づく画像形成が完了する。その後、記録材Ｓは第１排紙部７０に積載される。
【００２２】
図８は、画像形成装置１の電装８００を示すブロック図である。図８では、制御ＣＰＵ８０１（以下、ＣＰＵ８０１）によって制御される各ユニットが記載されている。
【００２３】
ＣＰＵ８０１は、ポリゴンミラー、モータ及びレーザ発光素子などを含む発光部２１にＡＳＩＣ８０２を介して接続している。感光ドラム１０の表面にレーザ光を走査して所望の潜像画像を形成するために、ＣＰＵ８０１はＡＳＩＣ８０２に制御信号を送信して、発光部２１を制御する。また、記録材Ｓを搬送するために、ＣＰＵ８０１はＡＳＩＣ８０２に制御信号を送信して、メインモータ８３０、両面駆動モータ８４０などの駆動系を制御する。メインモータ８３０は、ＣＳＴピックアップローラ３１、搬送ローラ４０、感光ドラム１０、転写部１５、加熱ローラ５１、加圧ローラ５２などを駆動する。両面駆動モータ８４０はＣＩＳピックアップローラ９１と搬送ローラ４１〜４４を駆動する。
【００２４】
また、ＣＰＵ８０１は、電子写真プロセスに必要な帯電、現像、転写などを制御する高電圧電源ユニット８１０と、定着を制御する低電圧電源ユニット８１１とを制御する。さらに、ＣＰＵ８０１は、定着部５０に設けられたサーミスタ（不図示）により温度をモニタし、定着温度を一定に保つための制御を行う。
【００２５】
ＣＰＵ８０１は、バス等を介してプログラムメモリ８０３に接続されている。プログラムメモリ８０３は、ＲＯＭやＲＡＭで構成されており、ＣＰＵ８０１によって行われる処理の全てまたは一部を実行するためのプログラム及びデータが格納されている。なお、プログラムメモリ８０３はＨＤＤを含んでいてもよい。すなわち、ＣＰＵ８０１はプログラムメモリ８０３に格納されたプログラム及びデータを実行することによって、本発明に係る各実施形態を実現する。
【００２６】
画像メモリ８０４は、ＲＡＭまたはＨＤＤで構成されており、画像読取部１００によって読み取られた画像を記憶しておく。
【００２７】
ＡＳＩＣ８０２は、ＣＰＵ８０１の指示に基づいて発光部２１内部のモータの速度制御、メインモータ８３０の速度制御、両面駆動モータ８４０の速度制御を行う。モータの速度制御では、モータからのタック信号を検出して、タック信号の間隔が所定の時間となるように加速信号または減速信号をモータに送信する。タック信号とは、モータが回転するごとにモータから出力されるパルス信号である。ＡＳＩＣ８０２を用いて制御回路を構成することにより、ＣＰＵ８０１の制御負荷の低減が図られるというメリットがある。
【００２８】
ＣＰＵ８０１は操作部８０５にも接続されている。操作部８０５は、タッチパネルなどの表示部、操作キーを有している。ＣＰＵ８０１は操作画面を表示するよう操作部８０５を制御したり、ユーザからの指示を、操作部８０５を介して受信したりする。
【００２９】
また、ＣＰＵ８０１は、メディアセンサ１１０１にも接続されている。メディアセンサ１１０１で検知された用紙の種類を示す情報を、用紙ごとにプログラムメモリ８０３に記憶する。
【００３０】
図１４は、操作部８０５の一例を示す図である。表示部１４０１は、タッチパネルシートが貼られた液晶ディスプレイから構成されていて、操作画面やソフトキーを表示する。表示部１４０１は、ソフトキーが押下されると、押下された位置を示す位置情報をＣＰＵ８０１に送信する。
【００３１】
キーボード１４０７はテンキー１４０２、ストップキー１４０４、ユーザモードキー１４０５、スタートキー１４０６を有する。テンキー１４０２は、数字と文字を入力するためのキーであり、コピー部数の設定や画面の切り替えで使われる。ストップキー１４０４は、稼働中の動作を止めるためのキーである。ユーザモードキー１４０５は、画像形成装置１の設定を行うためのキーである。スタートキー１４０６は、画像の読み取りの開始や印刷の開始を指示するためのキーである。
【００３２】
スタートキー１４０６の中央には、２色ＬＥＤ１４０３がある。ＬＥＤ１４０３が緑色であるときはスタートキー１４０６を使えることを示す。ＬＥＤ１４０３が赤色であるときはスタートキー１４０６を使えないことを示す。
【００３３】
ＣＰＵ８０１は、コピーの指示を操作部８０５から受信した場合、あるいはホストコンピュータからプリントコマンドを受信した場合、メインモータ８３０、両面駆動モータ８４０を駆動させて、記録材を搬送する。感光ドラム１０の表面に形成されたトナー画像が転写部１５によって記録材に転写されて、トナー画像が定着部５０によって記録材Ｓに定着された後、記録材は第１排紙部７０に排出される。画像形成済みの記録材の整列性を高めるため、第１排紙部７０には、排紙口付近から記録材の排出方向に向けてゆるやかな上がり勾配が設けられている。ＣＰＵ８０１は、定着部５０に所定の電力を供給するよう低電圧電源ユニット８１１を制御し、定着部５０は所定の熱量を発生して、その熱量を記録材に与え、記録材上のトナー画像を融着させ、トナー画像を記録材に定着させる。
【００３４】
ＣＰＵ８０１は、コピーの指示を操作部８０５から受信した場合、あるいはホストコンピュータからスキャンコマンドを受信した場合、両面駆動モータ８４０を駆動させる。両面駆動モータ８４０のトルクが伝達されたＣＩＳピックアップローラ９１は原稿を搬送する。画像読取部１００は信号線９０２、９０３、９１０、９１２、９１３及び９１４を介してＡＳＩＣ８０２と接続している。ＡＳＩＣ８０２は、ＣＰＵ８０１の指示に従って、画像読取部１００を制御して画像読取部１００で読み取られた画像情報を画像メモリ８０４に格納する。その後、ＣＰＵ８０１は、スイッチバックフラッパ８２を両面搬送路８０側に倒し、両面駆動モータ８４０を逆回転させて、原稿を第２排紙部１１０に搬送する。
【００３５】
図９は画像読取部１００の詳細を説明する図である。図９では、ＣＩＳ（Ｃｏｎｔａｃｔ  Ｉｍａｇｅ  Ｓｅｎｓｏｒ）の回路ブロックを示している。コンタクトイメージセンサ９０１では、例えば１０３６８画素分のフォトダイオードが特定の主走査密度（例えば１２００ｄｐｉ）でアレイ状に配置されている。
【００３６】
画像読取部１００は、スタートパルス信号（ＣＩＳＳＴＡＲＴ）９０２、発光素子制御信号（ＣＩＳＬＥＤ）９０３、Ｓｌ＿ｉｎ信号９１２、Ｓｌ＿ｓｅｌｅｃｔ信号９１３、ＣＩＳの動作速度を決めるシステムクロック（ＳＹＳＣＬＫ）９１４を受信する。また、画像読取部１００は、Ｓｌ＿ｏｕｔ信号９１０を送信する。
【００３７】
発光素子９０７は、電流増幅部９０６によって増幅された電流に基づいて発光し、原稿Ｇを均一に照射する。
【００３８】
ＣＩＳＳＴＡＲＴ信号９０２がアクティブになると、コンタクトイメージセンサ９０１は、受けた光に基づく電荷の蓄積を開始し、出力バッファ９０４にデータを順次セットする。次に、転送クロック（ＣＩＳＣＬＫ）９１５（例えば５００ｋＨｚから１ＭＨｚ）が与えられると、シフトレジスタ９０５は、出力バッファ９０４にセットされたデータをＣＩＳＳＮＳ信号９１８としてＡ／Ｄコンバータ９０８へ転送する。
【００３９】
ＣＩＳＳＮＳ信号９１８には所定のデータ保障領域があるため、転送クロック９１５の立ち上がりタイミングから所定の時間が経過したのちにＣＩＳＳＮＳ信号９１８のサンプリングをする必要がある。ＣＩＳＳＮＳ信号９１８は、転送クロック９１５の立ち上がりと立ち下りの双方のエッジに同期して出力される。Ａ／Ｄコンバータのサンプリング速度を決定するＣＩＳサンプリングクロック（ＡＤＣＬＫ）９１６の周波数は転送クロック９１５の２倍となるように生成される。そして、ＣＩＳサンプリングクロック９１６の立ち上がりのエッジにてＣＩＳＳＮＳ信号９１８がサンプリングされる。タイミングジェネレータ９１７はシステムクロック９１４を分周して、ＣＩＳサンプリングクロック９１６及び転送クロック９１５を生成する。ＣＩＳサンプリングクロック９１６の位相は、転送クロック９１５と比べて、データ保障領域分だけ遅延している。
【００４０】
Ａ／Ｄコンバータ９０８でデジタル変換されたＣＩＳＳＮＳ信号９１８は出力インターフェース回路９０９によって所定のタイミングでＳｌ＿ｏｕｔ信号９１０として送信される。Ｓｌ＿ｏｕｔ信号９１０はシリアルデータである。その際、ＣＩＳＳＴＡＲＴ信号９０２から所定画素数分のＣＩＳＳＮＳ信号９１８は、アナログ出力基準電圧であるため、有効画素としては使用されない。
【００４１】
制御回路９１１は、Ｓｌ＿ｉｎ信号９１２及びＳｌ＿ｓｅｌｅｃｔ信号９１３に従ってＡ／Ｄコンバータ９０８のＡ／Ｄ変換ゲインを可変に制御することができる。例えば、撮像された画像のコントラストが適切に得られない場合、ＣＰＵ８０１は、Ａ／Ｄコンバータ９０８のＡ／Ｄ変換ゲインを大きくして、コントラストを増加させる。これにより、画像を最良なコントラストで撮影することができる。
【００４２】
以上のように本実施形態に係る画像形成装置１は、原稿が搬送される搬送路と、記録材の両面印刷を行うための搬送路の一部が共通している。それによって、画像形成装置１の小型化を実現している。
【００４３】
そして、この画像形成装置１は、コピーの指示を操作部８０５から受信した場合、あるいはホストコンピュータからプリントコマンドを受信した場合に、画像形成動作を開始する。
【００４４】
ホストコンピュータから片面プリントコマンドを受信した場合、ＣＰＵ８０３は、図１を用いて説明した画像形成動作を実行する。
【００４５】
また、ホストコンピュータから両面プリントコマンドを受信した場合、図１及び図２を用いて説明した画像形成動作を実行する。
【００４６】
また、両面原稿の画像を記録紙の両面にコピーするための指示を操作部８０５から受け付けた場合、ＣＰＵ８０３は、図３〜図７を用いて説明した画像形成動作を実行する。
【００４７】
なお、詳述していないが、画像形成装置１は片面原稿の画像を読み取って記録紙の片面に印刷する画像形成動作や、片面原稿の画像を読み取って記録紙の両面に印刷する画像形成動作、両面原稿の画像を読み取って記録紙の片面に印刷する画像形成動作も実行できる。
【００４８】
また、それらの画像形成動作に加えて、本実施形態に係る画像形成装置１は、原稿を第２給紙部９０から給紙して搬送し、当該原稿に、画像情報に基づく画像を原稿に印刷する画像形成動作を行うことができる。なお、ここで用いる画像情報は、ホストコンピュータからネットワークを介して受信した画像情報であってもよいし、予め画像メモリ８０４に記憶しておいた画像情報であってもよい。ユーザは、操作部８０５またはホストコンピュータから、画像メモリ８０４に記憶された画像情報を指定し、原稿にその画像情報に基づく画像を印刷するための指示を入力する。ＣＰＵ８０３は、操作部８０５またはホストコンピュータからそれらの指示を受信し、原稿に画像メモリ８０４に記憶された画像情報に基づく画像を原稿に印刷する画像形成動作を実行する。
【００４９】
図１５、図１６は、画像情報に基づく画像を原稿に印刷することを説明するための図である。
【００５０】
図１５において、太い線の矢印は原稿Ｇを示す。第２給紙部９０に収納されていた原稿Ｇは、ＣＩＳピックアップローラ９１と分離手段９２によって一枚ずつ搬送ローラ４１に搬送される。搬送ローラ４１の手前に、用紙の種類を検知するメディアセンサ１１０１が設けられており、メディアセンサ１１０１は、搬送される原稿の用紙の種類を検知する。なお、メディアセンサによって用紙の種類を検知する技術は既知のものを用いればよい。画像読取部１００は、原稿Ｇの第１面の読み取りを開始する前に、白基準部材１０１へ発光し、白基準値の修正を実施する。その後、画像読取部１００は両面搬送路８０に対面する位置に回転する。搬送ローラ４１は原稿Ｇを画像読取部１００に搬送する。両面搬送路８０に対面する位置に待機していた画像読取部１００は原稿Ｇの第１面を読み取り、読み取られた画像情報は原稿Ｇの第１面の画像情報として画像メモリ８０４に記憶される。
【００５１】
そして、原稿Ｇの第１面の画像を読み取った後、図１６に示すように、原稿Ｇは搬送ローラ４２及び搬送ローラ４０によって転写部１５に搬送される。ほぼ同時に、発光部２１は、画像メモリ８０４に記憶された画像情報に基づいてレーザ光を感光ドラム１０の表面に照射し、画像情報に基づく潜像画像が感光ドラム１０の表面に形成される。転写部１５は、潜像画像により形成されたトナー画像を原稿Ｇに転写し、定着部５０はトナー画像を原稿Ｇに定着する。そのあと、原稿Ｇは第１排紙部７０に積載される。
【００５２】
以下では、感光ドラム１０、現像ローラ１１、転写部１５、定着部５０など、印刷に係るユニットを印刷部と総称する。
【００５３】
図１０は、第１の実施形態における画像形成装置１で実行される処理のフローチャートである。本フローチャートに示す処理は、ＣＰＵ８０１が、プログラムメモリ８０３に記憶されたプログラムを実行することによって行われる。
【００５４】
ＣＰＵ８０３は、原稿の画像を読み取り、その原稿に他の画像を印刷する原稿印刷処理の実行指示を受け付けた場合に図１０のフローチャートに示す処理を開始する。
【００５５】
Ｓ１００１で、ＣＰＵ８０１は、原稿の給紙指示を受けると、両面駆動モータ８４０を駆動し、ＣＩＳピックアップローラ９１と分離手段９２によって第２給紙部９０から原稿を１枚給紙させる。
【００５６】
Ｓ１００２で、ＣＰＵ８０１は、給紙された原稿の用紙の種類を、メディアセンサ１１０１からの信号によって検知する。メディアセンサを用いて用紙の種類を検知する技術は、公知の技術を用いればよい。
【００５７】
Ｓ１００３で、ＣＰＵ８０１は、メディアセンサ１１０１によって、原稿の用紙の種類が、印刷に適した用紙の種類であるか否かを判定する。印刷に適した用紙の種類とは、普通紙や薄紙等である。一方、印刷に適していない用紙の種類とは、感熱紙である。感熱紙は、熱によって変色する性質を持っているため、感熱紙を定着部５０に通すと、感熱紙が変色してしまい、原稿の内容が失われてしまうからである。なお、印刷に適した用紙の種類を示す情報と、印刷に適していない用紙の種類を示す情報は、プログラムメモリ８０３内に記憶されており、ＣＰＵ８０１によって参照される。
【００５８】
Ｓ１００３で、原稿の用紙の種類が印刷に適した用紙の種類であると判定した場合、ＣＰＵ８０１は、Ｓ１００４に処理を進め、一方、原稿の用紙の種類が印刷に適していない用紙の種類であると判定した場合、ＣＰＵ８０１はＳ１０２１に処理を進める。
【００５９】
Ｓ１００４で、ＣＰＵ８０３は、両面駆動モータ８４０を駆動し、当該原稿を画像読取部１００まで搬送させ、原稿の画像を画像読取部１００に読み取らせる。ＣＰＵ８０３は、画像読取部１００によって読み取られた画像を示す画像データを画像メモリ８０４に記憶する。画像メモリ８０４に記憶された画像データは、その後、印刷される、または外部のホストコンピュータに送信される。
【００６０】
そして、Ｓ１００５で、ＣＰＵ８０３は、駆動モータ８４０を駆動し、メインモータ８３０と駆動モータ８４０によって搬送ローラ４２及び搬送ローラ４０を回転させ、原稿を感光ドラム１０まで搬送させる。
【００６１】
Ｓ１００６で、ＣＰＵ８０３は、メインモータ８３０によって感光ドラム１０を回転させ、原稿にトナーを転写させる。
【００６２】
Ｓ１００７で、ＣＰＵ８０３は、トナーが転写された原稿を、搬送ローラ４０によって定着部５０に搬送させる。ここで、ＣＰＵ８０３は、原稿に印刷するために画像メモリ８０４に記憶された画像データに従って画像を転写させる。この画像データは、ホストコンピュータから受信して記憶されたものであってもよいし、画像読取部１００によって予め読み取られて記憶されたものであってもよい。
【００６３】
Ｓ１００８で、ＣＰＵ８０３は、定着部５０によって原稿にトナーを定着させる。
【００６４】
Ｓ１００９で、ＣＰＵ８０３は、メインモータ８３０によって排紙ローラ６０を回転させ、トナーが定着された原稿を排紙部７０に排紙させる。
【００６５】
Ｓ１０１０で、ＣＰＵ８０３は、第２給紙部９０にまだ原稿があるか否かを、第２給紙部に設けられた不図示の原稿の有無検知センサによって判定する。第２給紙部９０にまだ原稿があると判定した場合、ＣＰＵ８０３は、Ｓ１００１に処理を進め、次の原稿の給紙を行う。一方、第２給紙部９０にもう原稿がないと判定した場合、ＣＰＵ８０３は、処理を終える。
【００６６】
一方、Ｓ１００３で、原稿の用紙の種類が印刷に適していない用紙の種類であると判定し、Ｓ１００３からＳ１０２１に処理を進めた場合、Ｓ１０２１で、ＣＰＵ８０３は、図１１に示すエラー画面を操作部８０５に表示させる。
【００６７】
そして、Ｓ１０２２で、ＣＰＵ８０３は、両面駆動モータ８４０によって、搬送ローラ４１及び搬送ローラ４２を回転させ、原稿の後端が搬送ローラ４２によって挟持される位置にくるまで原稿を搬送する。原稿の後端が搬送ローラ４２によって挟持される位置にくるまで搬送されたことは、搬送ローラ４２の手前に設けられたセンサによって検知される。なお、Ｓ１００３からＳ１０２１に処理を進めた場合、ＣＰＵ８０３は、画像読取部１００によって原稿の画像を読み取るよう制御してもよいし、読み取らないよう制御してもよい。また、画像読取部１００によって原稿の画像を読み取るか否かの設定を予め操作部８０５を介して受け付けておき、ＣＰＵ８０３は、それに従って制御してもよい。
【００６８】
Ｓ１０２３で、ＣＰＵ８０３は、フラッパ８２を図４の右方向に倒し、両面駆動モータ８４０によって搬送ローラ４２を反時計回りに回転させ、図５に示すように原稿を搬送ローラ４３まで搬送する。なお、このとき画像読取部１００は原稿の画像を読み取らない。そのため、ＣＰＵ８０３は、画像読取部１００のレンズの向きを、図３で示す画像読取部１００の向きか、図２で示す画像読取部１００の向きのいずれかになるよう制御する。それによって、画像読取部１００のレンズが汚れることを防ぐことができる。
【００６９】
Ｓ１０２４で、ＣＰＵ８０３は、両面駆動モータ８４０によって搬送ローラ４４を回転させ、原稿を排紙部１１０に排紙して処理を終了する。
【００７０】
以上のように制御することによって、原稿の画像を読み取って当該原稿に画像を印刷する場合に、その原稿が印刷に適さない種類の用紙であれば当該原稿に画像が印刷されてしまうことを防ぐことができる。
【００７１】
＜第２の実施形態＞
上述した第１の実施形態では、原稿の用紙の種類が、印刷に適した用紙の種類でないと判定した場合に、原稿を機外に排出する方法を説明した。
【００７２】
第２の実施形態では、原稿の用紙の種類が、印刷に適した用紙の種類でないと判定した場合に、原稿に画像を印刷せずに、当該原稿を機外に排紙するとともに、原稿に印刷する予定だった画像を第１給紙部３０から給紙した記録材に印刷する例を説明する。
【００７３】
なお、図１〜図９を用いて説明した構成については、第１の実施形態と同じであるため、詳しい説明を省略する。
【００７４】
図１２は、第２の実施形態における画像形成装置１で実行される処理のフローチャートである。本フローチャートに示す処理は、ＣＰＵ８０１が、プログラムメモリ８０３に記憶されたプログラムを実行することによって行われる。
【００７５】
なお、図１２に示す処理は、原稿の画像を読み取り、その原稿に他の画像を印刷する原稿印刷処理の実行指示を受け付けた場合にＣＰＵ８０３によって開始される。なお、図１０に示す処理と同じ処理については、図１０と同じ符号を付けてあり、詳しい説明を省略する。
【００７６】
Ｓ１００３で、原稿の用紙の種類が印刷に適した用紙の種類でないと判定した場合、ＣＰＵ８０１は、Ｓ２０２１に処理を進める。なお、ここで、ＣＰＵ８０１は、原稿の搬送を一時的に停止する。
【００７７】
Ｓ２０２１で、ＣＰＵ８０３は、図１３に示すエラー画面を操作部８０５に表示させる。図１３に示すエラー画面には、印刷ができない旨を示すメッセージと、「別の用紙に印刷」ボタンと、「中止」ボタンが表示される。ユーザは、原稿に印刷する予定だった画像を原稿とは別の用紙に印刷する場合には、「別の用紙に印刷」ボタンを押す。一方、ユーザは、原稿に印刷する予定だった画像を原稿とは別の用紙に印刷することなく原稿を排紙して完了する場合には「中止」ボタンを押す。
【００７８】
Ｓ２０２２で、ＣＰＵ８０３は、「別の用紙に印刷」ボタンの選択を受け付けたか否かを判定する。
【００７９】
「別の用紙に印刷」ボタンの選択を受け付けたと判定された場合に、Ｓ２０２３に処理を進め、ＣＰＵ８０３は、メインモータ８３０を駆動し、ＣＳＴピックアップローラ３１と分離手段３２によって、第１給紙部３０から記録材を１枚給紙する。ユーザは、ここで、第１給紙部３０に、印刷に適した種類の用紙（例えば、普通紙）を予め収納しておくものとする。
【００８０】
そして、Ｓ２０２４で、ＣＰＵ８０３は、給紙された記録材を、メインモータ８３０によって搬送ローラ４０を回転させ、感光ドラム１０まで搬送させる。
【００８１】
その後、Ｓ２０２５で、ＣＰＵ８０３は、感光ドラム１０によって記録材にトナーを転写させる。ここで、ＣＰＵ８０３は、原稿に印刷するために画像メモリ８０４に記憶された画像データに従って画像を転写させる。この画像データは、ホストコンピュータから受信して記憶されたものであってもよいし、画像読取部１００によって予め読み取られて記憶されたものであってもよい。
【００８２】
Ｓ２０２６で、ＣＰＵ８０３は、トナーが転写された原稿を、搬送ローラ４０によって定着部５０に搬送させる。
【００８３】
Ｓ２０２７で、ＣＰＵ８０３は、定着部５０によって記録材にトナーを定着させる。
【００８４】
Ｓ２０２８で、ＣＰＵ８０３は、メインモータ８３０によって排紙ローラ６０を回転させ、トナーが定着された記録材を排紙部７０に排紙させ、Ｓ２０３１に処理を進める。
【００８５】
なお、Ｓ２０２３からＳ２０２７の処理と並行して、ＣＰＵ８０３は、図３から図７に示す経路で原稿を搬送する。その後、Ｓ２０３１で、ＣＰＵ８０３は、図３から図７に示す経路で搬送された原稿を第２排紙部１１０に排紙する。そして、ＣＰＵ８０３は、Ｓ１０１０に処理を進める。
【００８６】
Ｓ１０１０で、ＣＰＵ８０３は、第２給紙部９０にまだ原稿があるか否かを、第２給紙部に設けられた不図示の原稿の有無検知センサによって判定する。第２給紙部９０にまだ原稿があると判定した場合、ＣＰＵ８０３は、Ｓ１００１に処理を進め、次の原稿の給紙を行う。一方、第２給紙部９０にもう原稿がないと判定した場合、ＣＰＵ８０３は、処理を終える。
【００８７】
なお、Ｓ２０２１で表示された図１３に示すエラー画面で「別の用紙に印刷」ボタンの選択を受け付けたと判定された場合に、次に示すように制御しても良い。ＣＰＵ８０３は、両面駆動モータ８４０を駆動し、当該原稿を画像読取部１００まで搬送させ、原稿の画像を画像読取部１００に読み取らせてもよい。そして、Ｓ２０２３で給紙された記録紙に、ＣＰＵ８０３は、画像読取部１００によって読み取られた原稿の画像を記録してもよい。それによって、原稿の内容を普通紙に印刷することができる。ユーザは、その普通紙を再度第２給紙部９０にセットし、原稿印刷処理を実行するよう指示することで、印刷に適した用紙に、予め画像メモリ８０４に記憶されていた画像データに従った画像を合わせて印刷させることができる。
【００８８】
また、ＣＰＵ８０３は、画像読取部１００によって読み取られた画像を示す画像データを画像メモリ８０４に記憶し、当該画像データと、原稿に印刷するために画像メモリ８０４に記憶された画像データを合成して印刷するように制御してもよい。それによって、ユーザは、原稿を再度第２給紙部９０にセットせずとも、印刷に適した用紙に、予め画像メモリ８０４に記憶されていた画像データに従った画像を合わせて印刷させることができる。
【００８９】
一方、Ｓ２０２１で表示された図１３に示すエラー画面で「中止」ボタンの選択を受付けた場合に、ＣＰＵ８０３は、Ｓ２０２２からＳ１０２２に処理を進める。
【００９０】
Ｓ１０２２で、ＣＰＵ８０３は、両面駆動モータ８４０によって、搬送ローラ４１及び搬送ローラ４２を回転させ、原稿の後端が搬送ローラ４２によって挟持される位置にくるまで原稿を搬送する。原稿の後端が搬送ローラ４２によって挟持される位置にくるまで搬送されたことは、搬送ローラ４２の手前に設けられたセンサによって検知される。なお、Ｓ１００３からＳ１０２１に処理を進めた場合、ＣＰＵ８０３は、画像読取部１００によって原稿の画像を読み取るよう制御してもよいし、読み取らないよう制御してもよい。また、画像読取部１００によって原稿の画像を読み取るか否かの設定を予め操作部８０５を介して受け付けておき、ＣＰＵ８０３は、それに従って制御してもよい。
【００９１】
Ｓ１０２３で、ＣＰＵ８０３は、フラッパ８２を図４の右方向に倒し、両面駆動モータ８４０によって搬送ローラ４２を反時計回りに回転させ、図５に示すように原稿を搬送ローラ４３まで搬送する。なお、このとき画像読取部１００は原稿の画像を読み取らない。そのため、ＣＰＵ８０３は、画像読取部１００のレンズの向きを、図３で示す画像読取部１００の向きか、図２で示す画像読取部１００の向きのいずれかになるよう制御する。それによって、画像読取部１００のレンズが汚れることを防ぐことができる。
【００９２】
Ｓ１０２４で、ＣＰＵ８０３は、両面駆動モータ８４０によって搬送ローラ４４を回転させ、原稿を排紙部１１０に排紙して処理を終了する。
【００９３】
以上のように制御することによって、原稿の画像を読み取って当該原稿に画像を印刷する場合に、その原稿が印刷に適さない種類の用紙であれば当該原稿に画像が印刷されてしまうことを防ぐことができる。
【００９４】
なお、Ｓ１００３で、原稿の用紙の種類が印刷に適した用紙の種類ではないと判定した場合に、Ｓ２０２３以降の処理をするか、Ｓ１０２２以降の処理をするかを、原稿印刷処理を開始する前に、設定または変更できるようにしてもよい。その設定をプログラムメモリ８０３に記憶しておき、ＣＰＵ８０１は、原稿の用紙の種類が印刷に適した用紙の種類ではないと判定した場合に、プログラムメモリ８０３を参照し、別の用紙に記録するよう設定されている場合には、Ｓ２０２３以降の処理を実行する。一方、ＣＰＵ８０１は、原稿の用紙の種類が印刷に適した用紙の種類ではないと判定した場合に、プログラムメモリ８０３を参照し、原稿印刷処理を中止するよう設定されている場合には、Ｓ１０２２以降の処理を実行する。それによって、原稿の用紙の種類が印刷に適した用紙の種類ではないと判定された場合に、印刷及び原稿の搬送を停めなくて済む。
【００９５】
＜その他の実施形態＞
本実施形態におけるフローチャートに示す機能は、ネットワーク又は各種記憶媒体を介して取得したソフトウェア（プログラム）をコンピュータパソコン等の処理装置（ＣＰＵ、プロセッサ）にて実行することでも実現できる。
【符号の説明】
【００９６】
５０  定着部
８０１  ＣＰＵ
８０３  プログラムメモリ
８０４  画像メモリ
８０５  操作部
【図１】
2013236178.tif 000003
【図２】
2013236178.tif 000004
【図３】
2013236178.tif 000005
【図４】
2013236178.tif 000006
【図５】
2013236178.tif 000007
【図６】
2013236178.tif 000008
【図７】
2013236178.tif 000009
【図８】
2013236178.tif 000010
【図９】
2013236178.tif 000011
【図１０】
2013236178.tif 000012
【図１１】
2013236178.tif 000013
【図１２】
2013236178.tif 000014
【図１３】
2013236178.tif 000015
【図１４】
2013236178.tif 000016
【図１５】
2013236178.tif 000017
【図１６】
2013236178.tif 000018